(57)【要約】【課題】ケーブルへの取付けが簡単で、表示した文字が消失するようなことがなく、またケーブルを傷つけるようなことのないケーブル表示具を提供すること。【解決手段】ケーブル１０に装着されて、ケーブル１０の種類等を表示するケーブル表示具１であって、夫々軟質樹脂製で互いに異系色の内側シート材２と外側シート材３とがラミネートされた二層シート４からなり、外側シート材３には表示すべき所定の文字が彫刻形成され、その彫刻文字５が内側シート材２のベース色によって顕現しており、二層シート４にはケーブル１０に巻き付いて固定されるように巻き癖がつけられていることを特徴とする。【選択図】図３
2014158317.tif 000002
【特許請求の範囲】
【請求項１】
ケーブルに装着されて、ケーブルの種類等を表示するケーブル表示具であって、夫々軟質樹脂製で互いに異系色の内側シート材と外側シート材とがラミネートされた二層シートからなり、外側シート材には表示すべき所定の文字が彫刻形成されて、その彫刻文字が内側シート材のベース色によって顕現しており、この二層シートには前記ケーブルに巻き付いて固定されるように巻き癖がつけられているケーブル表示具。
【請求項２】
前記二層シートは、断面略渦巻き状ないし略「の」字形状に巻き癖がつけられている請求項１に記載のケーブル表示具。
【請求項３】
前記内側シート材の内面には、シート幅方向に所定間隔をおいて複数の突起部がシート全長にわたって条設されている請求項１又は２に記載のケーブル表示具。
【発明の詳細な説明】
【技術分野】
【０００１】
本発明は、ケーブルに装着されて、ケーブルの種類等を外観で識別するのに使用されるケーブル表示具に関する。
【背景技術】
【０００２】
電柱には、電力線（電線）や電話線以外に、ケーブルテレビや有線放送用のケーブルなど種々の通信用ケーブルが共架され、また通信用ケーブルにも従来より使われている銅線ケーブル、近年よく使われている光ケーブルがあって、非常に複雑な配線となっており、従ってケーブルに異常が発生した時などに、どのケーブルか見分けがつき難いことから、これらのケーブルにはその種類等を外観で識別するためのケーブル表示具が取り付けられている。
【０００３】
従来のケーブル表示具として、特許公報等の公知文献を具体的に挙げることはできないが、従来使用されているケーブル表示具を図４に示すと、ここに示すケーブル表示具２１は、硬質樹脂により丸い筒状に形成された筒状本体２２と、筒状本体２２の開口部２３の一端側にある係止部２４と、開口部２３の他端側にある被係止部２５とからなるもので、筒状本体２２の側面にケーブルの種類等を表示する文字２６が印刷されている。そして、ケーブル１０への取付けにあたっては、係止部２４の先端鉤片２４ａを被係止部２５から外して開口部２３を開き、この開口部２３からケーブル１０を筒状本体２２内に挿入した状態とした後、係止部２４の先端鉤片２４ａを被係止部２５に対しスナップ式に係止して開口部２３を閉鎖し、係止部２４の両端部側を夫々被覆針金２７によってケーブル１０に縛り付けるようにしている。
【発明の概要】
【発明が解決しようとする課題】
【０００４】
上記従来のケーブル表示具２１では、硬質樹脂により形成されたもので、ケーブル１０に対してぶら下げた状態に取り付けられることから、取り付けるのに手間がかかる上に、風で揺れ動くため、係止部２４及び被係止部２５がケーブル１０に当たって傷つけ易く、また筒状本体２２に印刷されている印刷文字２６が雨水によって剥げ易く、また径年変化により消失し易くなる、と云った問題がある。
【０００５】
本発明は、上記の事情に鑑み、ケーブルへの取付けが簡単で、表示した文字が消失するようなことがなく、またケーブルを傷つけるようなことのないケーブル表示具を提供することを目的とする。
【課題を解決するための手段】
【０００６】
上記課題を解決するための手段を、後述する実施形態の参照符号を付して説明すると、請求項１に係る発明は、ケーブル１０に装着されて、ケーブル１０の種類等を表示するケーブル表示具１であって、夫々軟質樹脂製で互いに異系色の内側シート材２と外側シート材３とがラミネートされた二層シート４からなり、外側シート材３には表示すべき所定の文字５が彫刻形成されて、その彫刻文字５が内側シート材２のベース色によって顕現しており、この二層シート４には前記ケーブル１０に巻き付いて固定されるように巻き癖がつけられていることを特徴とする。
【０００７】
請求項２は、請求項１に記載のケーブル表示具において、前記二層シート４は、断面略渦巻き形状ないし略「の」字形状に巻き癖がつけられていることを特徴とする。
【０００８】
請求項３は、請求項１又は２に記載のケーブル表示具において、前記内側シート材２の内面には、シート幅方向に所定間隔をおいて複数の突起部６がシート全長にわたって条設されていることを特徴とする。
【発明の効果】
【０００９】
上記解決手段による発明の効果を、後述する実施形態の参照符号を付して説明すると、請求項１に係る発明のケーブル表示具は、夫々軟質樹脂製で互いに異系色の内側シート材２と外側シート材３とがラミネートされた二層シート４からなるもので、外側シート材３に所定の文字が彫刻形成されて、その彫刻文字５が内側シート材２のベース色によって顕現し、そして二層シート４にはケーブル１０に巻き付いて固定されるように巻き癖がつけられている構成であるから、二層シート４に表示した文字５は、従来のケーブル表示具のように径年変化により消失したり、雨水により剥げるおそれがなく、長期にわたり文字機能を維持することができ、また二層シート４がケーブル１０に巻き付いて固定されるため、ケーブル１０を傷つけることがなく、風圧等でケーブル１０から外れるようなこともない。またケーブル１０に取り付けるには、二層シート４をその巻き癖を解くように拡開した状態で、その内面側をケーブル１０に押し当てるようにすれば、この二層シート４が半自動的にケーブル１０の外周沿いに巻き付いてケーブル１０に固定されるから、取付けが非常に簡単容易となる。
【００１０】
請求項２に係る発明のように、二層シート４は、断面略渦巻き形状ないし略「の」字形状に巻き癖がつけられているから、ケーブル１０に対し十分な巻き付き力を発揮して、的確に取付け固定させることができる。
【００１１】
請求項３に係る発明のように、内側シート材２の内面には、シート幅方向に所定間隔をおいて複数の突起部６がシート全長にわたって条設されているから、二層シート４の内側シート材２がケーブル１０の外周面に対し線接触状態となり、従ってケーブル表示具１をケーブル１０に固定させた状態で、その取付位置を変更したい時は、ケーブル表示具１を掴んだ状態でケーブル１０に沿って押し引きすれば、ケーブル表示具１を容易に移動させることができる。
【図面の簡単な説明】
【００１２】
【図１】(a) は本発明に係るケーブル表示具の一実施形態を示す斜視図、(b) はその正面図である。
【図２】(a) は図１の(b) の矢印Ｘで囲まれた部分の拡大図、(b) は(a) のＹ−Ｙ線断面図、(c) は(b) の矢印Ｖで囲まれた二層シート部分を平面状に延ばした状態を示し、(d) は(b) の矢印Ｗで示す部分の拡大図である。
【図３】(a) は同上のケーブル表示具の使用状態を示す側面図、(b) は(a) のＺ−Ｚ拡大線断面図で、ケーブル表示具をその巻き癖を解くように拡開した状態を仮想線で示している。
【図４】従来のケーブル表示具及びその取付状態を示す斜視図である。
【発明を実施するための形態】
【００１３】
以下に本発明の好適な一実施形態を図面に基づいて説明すると、図１の(a) ，(b) に示すケーブル表示具１は、夫々軟質樹脂製で互いに異系色の内側シート材２と外側シート材３とがラミネートされた二層シート４からなるもので、外側シート材３には表示すべき所定の文字５が彫刻によって打ち抜き形成されていて、その彫刻文字５が内側シート材２のベース色によって顕現しており、そしてこの二層シート４には、当該表示具１が取り付けられるケーブル１０（図３参照）に巻き付いて固定されるように巻き癖がつけられている。
【００１４】
上記ケーブル表示具１の構造について更に詳しく説明すれば、二層シート４を形成する内側シート材２及び外側シート材３は、夫々軟質樹脂、例えば熱可塑性エラストマーによって形成され、内側シート材２の厚みは外側シート材３の例えば３〜４倍となっている。この場合、内側シート材２は、シート材全体が例えば黒色に着色され、また外側シート材３は、シート材全体が内側シート材２の黒色とは異系色である例えば黄色に着色されている。
【００１５】
図２の(a) は図１の(b) の矢印Ｘで囲まれた部分の拡大図であり、図２の(b) は(a) のＹ−Ｙ線断面図であり、(c) は(b) の矢印Ｖで囲まれた断面円弧状二層シート４部分を平面状に延ばした状態を示したもので、これらの図面から分かるように、外側シート材３に形成された彫刻文字５は、外側シート材３自体の黄色と、内側シート材２のベース色である黒色によって顕現し、ハッキリと読み取れるようになっている。
【００１６】
また、内側シート材２の内面には、シート幅方向に所定間隔をおいて複数の突起部６がシート全長にわたって条設されている。この突起部６は、ケーブル１０にケーブル表示具１を巻き付けて固定した状態で移動調整したい時にスライドできるようにするためのものである。即ち、このような突起部６が設けられていないと、内側シート材２の内周面がケーブル１０の外周面に対し面接触して密着状態となって、ケーブル１０の長手方向にスライドさせることが困難となる。従って、このような突起部６を内側シート材２の内面にシート幅方向に所定間隔をおいてシート全長に条設することにより、ケーブル表示具１は、ケーブル１０に巻き付いて固定した状態でも、内側シート材２がケーブル１０に対し線接触状態であるから、ケーブル１０に沿って移動させ易くなる。
【００１７】
上記ケーブル表示具１の製造方法の一例を概略説明すると、図示は省略するが、先ず、例えば熱可塑性エラストマーからなる黒色に着色された内側シート材形成材料と、同じく熱可塑性エラストマーからなる黄色に着色された外側シート材形成材料とを、二層共押出機により押し出して、黒色で内面側に突起部６を条設した内側シート材２と黄色の外側シート材３とからなる長方形状の二層シート４を渦巻き形状ないし略「の」字形状で共押出形成する。その後、二層シート４の外側シート材３に、文字彫刻機によって所定の文字を彫刻形成する。なお、内側シート材２に文字を打ち込んだ二層シート４に、所定温度に加熱される巻き癖付け機によって、所定のケーブル１０に自ら巻き付いて固定されるような巻き癖をつけることもできる。この場合、ケーブル表示具１の二層シート４には、図２の(b) に示すように、断面形状が略のの字形状となるように巻き癖がつけられる。
【００１８】
上記のような構成よりなるケーブル表示具１の使用にあたっては、図２の(b) に示されるように断面略渦巻き形状ないし「の」字形状(あるいはのの字形状)に巻き癖が付けられている二層シート４を、その内端部４ａ側を一方の手で保持し、外端部４ｂ側を他方の手で掴んで外方へ引っ張るようにして（図３の(b) 参照）、二層シート４の全体を断面略Ｃの字状に拡開した状態で、内側シート材２側をケーブル１０に押し当てて、その後に二層シート４の外端部４ｂ側を解放すれば、その巻き癖によって二層シート４は、半自動的にケーブル１０の外周沿いに巻き付いて図３の(b) の実線図示のようにケーブル１０に取付け固定される。図３の(a) は、ケーブル表示具１がケーブル１０に取付け固定された状態を示す。図３の(a) において、１０ａはケーブル１０のケーブル本体、１０ｂはケーブル本体１０ａを被覆している被覆部である。尚、図３の(b) のケーブル１０を示す断面図では、ケーブル本体１０ａ及び被覆部１０ｂの図示を省略し、単にケーブル１０として１種類のハッチングで示している。
【００１９】
上記のようにケーブル表示具１がケーブル１０に取付け固定された状態で、その取付位置を変更したい時は、ケーブル表示具１を掴んだ状態でケーブル１０に沿って押し引きすれば、ケーブル表示具１を容易に位置変更させることができる。これは、前述したように、内側シート材２の内面に突起部６をシート幅方向に所定間隔をおいてシート全長に設けていることにより、二層シート４の内側シート材２がケーブル１０に対し線接触状態となっているからである。
【００２０】
また、二層シート４は、図２の(b) に示すように、長さ方向両端部４ａ，４ｂが夫々、先端に向かって漸次薄くなっているが、これは、ケーブル１０に巻き付ける際、その内端部４ａに他のシート４部分が重なった時に、内端部４ａの先端側に形成される隙間Ｓ（図３の(b) 参照）をできるだけ小さくして、ケーブル１０に対する二層シート４の巻き付け状態を良好にすると共に、外端部４ｂとケーブル１０外周面との段差を小さくして、外観上の体裁、見栄えを良くするためである。
【００２１】
以上説明したように、このケーブル表示具１は、夫々軟質樹脂製で互いに異系色の内側シート材２と外側シート材３とがラミネートされた二層シート４からなるもので、外側シート材３には表示すべき所定の文字５が彫刻形成されて、その彫刻文字５が内側シート材２のベース色によって顕現し、この二層シート４にはケーブル１０に巻き付いて固定されるように巻き癖がつけられているから、二層シート４に表示した文字５は、従来のケーブル表示具のように径年変化により消失したり、雨水により剥げるおそれがなく、長期にわたって文字機能を維持することができる。また、二層シート４がケーブル１０に巻き付いて固定されるため、ケーブル１０を傷つけることがなく、風圧等でケーブル１０から外れるようなこともない。またケーブル１０に取り付けるには、二層シート４をその巻き癖を解くように拡開した状態で、その内面側をケーブル１０に押し当てるようにすれば、この二層シート４が巻き癖により半自動的にケーブル１０の外周沿いに巻き付いてケーブル１０に固定されるから、ケーブル表示具１の取付けが非常に簡単、容易となる。
【００２２】
また、この実施形態では、ケーブル表示具１の二層シート４は、断面略渦巻き形状ないし「の」字形状に巻き癖がつけられていて、二層シート４の両端部側（内端部４ａ側と外端部４ｂ側）が十分にラップするようになっているが、二層シート４の巻き癖は、そのような断面略のの字形状に限るものではなく、二層シート４をケーブル１０に巻きつけた時にケーブル１０外周面の一部が露呈するような断面略Ｃ字形状となるように巻き癖がつけられてもよい。ただし、実施形態のように、二層シート４に断面略のの字形状の巻き癖をつけることにより、二層シート４の両端部側（内端部４ａ側と外端部４ｂ側）が十分にラップして、ケーブル１０に対し十分な巻き付き力を発揮して、的確に取付け固定させることができる。
【００２３】
また、この実施形態では、内側シート材２が黒色に着色されたもの、外側シート材３が内側シート材２の黒色とは異系色の黄色に着色されたものを使用しているが、外側シート材３が赤色、内側シート材２が白色に夫々着色されたものでもよいし、また外側シート材３が黒色、内側シート材２が赤色に夫々着色されたものでもよく、いずれにしても、外側シート材３の彫刻文字５が内側シート材２のベース色によって顕現し得るものであればよい。
【符号の説明】
【００２４】
１            ケーブル表示具
２            内側シート材
３            外側シート材
４            二層シート
５            彫刻文字
６            突起部
１０          ケーブル
【図１】
2014158317.tif 000003
【図２】
2014158317.tif 000004
【図３】
2014158317.tif 000005
【図４】
2014158317.tif 000006